(57)【要約】【課題】本発明は光通信技術分野に関し、具体的には、単芯双方向光送受信アセンブリに関する。【解決手段】該単芯双方向光送受信アセンブリは、発光素子（１）、受光素子（２）、及び分光フィルタリングユニット（３）を含み、発光素子（１）は分光フィルタリングユニット（３）の光入力ポート（ａ）に結合され、受光素子（２）は分光フィルタリングユニット（３）の光出力ポート（ｂ）に結合され、分光フィルタリングユニット（３）の双方向ポート（ｃ）はシングルモード光ファイバ（４）に結合され、発光素子（１）、受光素子（２）及び分光フィルタリングユニット（３）の内部光学素子はいずれも空間光学素子である。本発明の実質的な効果は、分光フィルタリングユニットを改良することによって、狭いチャネル間隔の単芯双方向伝送を実現することである。【選択図】図１
2022500970.tif 000002
【特許請求の範囲】
【請求項１】
シングルモード光ファイバ（４）の双方向通信に適用される単芯双方向光送受信アセンブリであって、
発光素子（１）と、
受光素子（２）と、
分光フィルタリングユニット（３）と、
を含み、
前記発光素子（１）は分光フィルタリングユニット（３）の光入力ポート（ａ）に結合され、
前記受光素子（２）は分光フィルタリングユニット（３）の光出力ポート（ｂ）に結合され、
前記分光フィルタリングユニット（３）の双方向ポート（ｃ）はシングルモード光ファイバ（４）に結合され、
前記発光素子（１）、受光素子（２）及び分光フィルタリングユニット（３）の内部光学素子はいずれも空間光学素子である、
ことを特徴とする単芯双方向光送受信アセンブリ。
【請求項２】
前記分光フィルタリングユニット（３）は、分岐デバイス（３０１）と、フィルタ（３０２）と、を含み、
前記発光素子（１）は分岐デバイス（３０１）の光入力ポート（ａ）に結合され、
前記分岐デバイス（３０１）の双方向ポート（ｃ）はシングルモード光ファイバ（４）に結合され、
前記分岐デバイス（３０１）の光出力ポート（ｄ）は前記フィルタ（３０２）の入力ポートに結合され、
前記受光素子（２）は前記フィルタ（３０２）の出力ポートに結合され、
前記分岐デバイス（３０１）及びフィルタ（３０２）はいずれも空間光学素子である、
ことを特徴とする請求項１に記載の単芯双方向光送受信アセンブリ。
【請求項３】
前記分岐デバイス（３０１）は偏光ビームスプリッタ（３０１ａ）、ファラデー回転子（３０１ｂ）、波長板（３０１ｃ）、及び第２偏光ビームスプリッタ（３０１ｄ）を含み、
前記偏光ビームスプリッタ（３０１ａ）は互いに接着される第１プリズム（３０１１）と第２プリズム（３０１２）を含み、
前記第２偏光ビームスプリッタ（３０１ｄ）は互いに接着される第３プリズム（３０１３）と第４プリズム（３０１４）を含み、
前記第１プリズム（３０１１）、第２プリズム（３０１２）及び第４プリズム（３０１４）の断面はいずれも頂角が４５度の平行四辺形であり、
前記第３プリズム（３０１３）の断面は二等辺三角形であり、
前記第１プリズム（３０１１）の下面は第２プリズム（３０１２）の上面に接着され、
前記第３プリズム（３０１３）の斜面は第４プリズム（３０１４）の上面に接着され、
前記第１プリズム（３０１１）と第２プリズム（３０１２）との接着面及び第３プリズム（３０１３）と第４プリズム（３０１４）との接着面にはいずれも誘電体ビーム分割フィルム（３０１ｅ）がコーティングされ、
前記第１プリズム（３０１１）、第２プリズム（３０１２）及び第４プリズム（３０１４）の左側面は互いに平行であり、且つ第３プリズム（３０１３）の第１面に平行であり、
前記第１プリズム（３０１１）の上面、第２プリズム（３０１２）の下面及び第４プリズム（３０１４）の下面はいずれも反射面であり、
前記第１プリズム（３０１１）の左側面は発光素子（１）に結合され、
前記第２プリズム（３０１２）の左側面はフィルタ（３０２）の入力端に結合され、
前記第１プリズム（３０１１）の右側面は順にファラデー回転子（３０１ｂ）と波長板（３０１ｃ）を経由して第３プリズム（３０１３）の第１面に接続され、
前記第２プリズム（３０１２）の右側面は順にファラデー回転子（３０１ｂ）と波長板（３０１ｃ）を経由して第４プリズム（３０１４）の左側面に接続され、
前記第４プリズム（３０１４）の右側面はシングルモード光ファイバ（４）に結合される、
ことを特徴とする請求項２に記載の単芯双方向光送受信アセンブリ。
【請求項４】
前記ファラデー回転子（３０１ｂ）は４５°ファラデー回転子であり、
前記波長板（３０１ｃ）は１／２波長板である、
ことを特徴とする請求項３に記載の単芯双方向光送受信アセンブリ。
【請求項５】
前記分光フィルタリングユニット（３）は、インタリーバ（３０３）、サーキュレータ（３０４）、及びフィルタ（３０２）を含み、
前記発光素子（１）はインタリーバ（３０３）の入力端に結合され、前
記サーキュレータ（３０４）の入力端はインタリーバ（３０３）の出力端に結合され、前記サーキュレータ（３０４）の双方向ポートはシングルモード光ファイバ（４）に結合され、
前記サーキュレータ（３０４）の出力ポートは前記フィルタ（３０２）の入力ポートに結合され、
前記受光素子（２）は前記フィルタ（３０２）の出力ポートに結合される、
ことを特徴とする請求項１に記載の単芯双方向光送受信アセンブリ。
【請求項６】
前記インタリーバ（３０３）はＭＧＴ構造のインタリーバである、ことを特徴とする請求項５に記載の単芯双方向光送受信アセンブリ。
【発明の詳細な説明】
【技術分野】
【０００１】
本発明は光通信技術分野に関し、具体的には、単芯双方向光送受信アセンブリに関する。
【背景技術】
【０００２】
単芯双方向ＢＯＳＡ（Ｂｉｄｉｒｅｃｔｉｏｎａｌ  ｏｐｔｉｃａｌ  ｓｕｂａｓｓｅｍｂｌｙ）アセンブリは、発光と受光を統合した光電変換デバイスであり、発光装置と受光装置のビームを１本のファイバに結合することにより、上り光信号と下り光信号の単芯双方向伝送機能を実現することができ、現在の通信における主要デバイスである。典型的な単芯双方向ＢＯＳＡアセンブリは、一般的に、１３１０ｎｍ／１５５０ｎｍ又は１４９０ｎｍ／１５５０ｎｍの波長の組み合わせを使用し、波長分割多重（ＷＤＭ）技術を利用して分光する。しかしながら、上り信号と下り信号の光周波数間隔が上記２つの波長の組み合わせの光周波数間隔よりはるかに小さい場合、波長分割多重（ＷＤＭ）フィルタの分光効果は安定した通信を維持するのに不十分である。そのため、単芯双方向伝送によるチャネル間隔の狭い双方向通信が出来なくなる。
【０００３】
公開日２０１７年１０月２４日の中国特許ＣＮ１０７２９４６０６Ａにおいて、シングルモード光ファイバ双方向光送受信機は、発光モジュールと、受光モジュールと、スポットサイズ変換（ＳＳＣ，ｓｐｏｔ  ｓｉｚｅ  ｃｏｎｖｅｒｔｅｒ）構造と、窒化ケイ素の製造プロセスに基づく波長分割多重モジュールと、を含み、発光モジュールは波長分割多重モジュールの上り光信号の送信端に接続され、波長分割多重モジュールの下り光信号の受信端と受光モジュールはスポットサイズ変換構造により連結され、波長分割多重モジュールの光ファイバ接続端は光ファイバにより光加入者線端局装置  （Ｏｐｔｉｃａｌ  Ｌｉｎｅ  Ｔｅｒｍｉｎａｌ，ＯＬＴ）に接続され、受光モジュール、波長分割多重モジュールとスポットサイズ変換構造はシリコンフォトニクス技術により同一シリコンチップに集積され、発光モジュールは前記シリコンチップに複合集積される。その技術的解決手段により、波長分割多重モジュールと受光モジュール、発光モジュールと光ファイバとの間の効果的な結合を実現することができ、導波管サイズが均一であり、信号損失を効果的に低減し、擬似反射を減少させ、環境温度に敏感でないようにすることができる。しかし、現在の単芯双方向伝送のチャネル間隔が広いという技術的課題を解決することができない。
【０００４】
公開日２０１４年６月２７日の中国特許ＣＮ２０３９３０１３６Ｕにおいて、単芯双方向光送受信アセンブリは、入出力端、光路に従って設置され、偏光分光素子、旋光子、偏光ビームスプリッタ及び光結合ユニットを含む光学アセンブリ、受信端、及び送信端を含み、旋光ユニットはさらに磁気旋光板及び１／２波長板を含み、送信端の光路に位置する。その技術的解決手段により、高い結合効率を得られると同時に、隣接する波長の干渉を回避することにより、光送受信信号が効果的に分離されない課題を解決し、波長間隔が任意である単芯双方向光送受信アセンブリを実現することができる。しかし、その設計は、送信端光源の選択を平行線偏光源に制限し、偏光ビームスプリッタ７２のビーム分割機能のみを利用し、偏光ビームスプリッタ７２のビーム分割とビーム結合機能を十分に利用すると、単芯双方向光送受信アセンブリの内部構造をよりコンパクトであるように、その光学アセンブリのサイズをさらに圧縮することができる。
【発明の概要】
【発明が解決しようとする課題】
【０００５】
本発明が解決しようとする技術的課題は、現在の単芯双方向伝送による狭いチャネル間隔の通信が効果的に実施できない技術的課題である。この技術的課題を解決するために、改良された分光フィルタリングユニットを採用する単芯双方向光送受信アセンブリを提供する。本発明は狭いチャネル間隔の上り光信号と下り光信号の単芯双方向伝送を実現することができ、デバイスの小型化傾向要求を考慮している。
【課題を解決するための手段】
【０００６】
上記技術的課題を解決するため、本発明に採用される技術的解決手段は、シングルモード光ファイバ４の双方向通信に適用される単芯双方向光送受信アセンブリであって、発光素子１と、受光素子２と、分光フィルタリングユニット３と、を含み、前記発光素子１は分光フィルタリングユニット３の光入力ポートａに結合され、前記受光素子２は分光フィルタリングユニット３の光出力ポートｂに結合され、前記分光フィルタリングユニット３の双方向ポートｃはシングルモード光ファイバ４に結合され、前記発光素子１、受光素子２及び分光フィルタリングユニット３の内部光学素子はいずれも空間光学素子である。
【０００７】
好ましくは、前記分光フィルタリングユニット３は、分岐デバイス３０１と、フィルタ３０２と、を含み、前記発光素子１は分岐デバイス３０１の光入力ポートａに結合され、前記分岐デバイス３０１の双方向ポートｃはシングルモード光ファイバ４に結合され、前記分岐デバイス３０１の光出力ポートｄは前記フィルタ３０２の入力ポートに結合され、前記受光素子２は前記フィルタ３０２の出力ポートｂに結合され、前記分岐デバイス３０１及びフィルタ３０２はいずれも空間光学素子である。
【０００８】
好ましくは、前記分岐デバイス３０１は偏光ビームスプリッタ３０１ａ、ファラデー回転子３０１ｂ、波長板３０１ｃ、及び第２偏光ビームスプリッタ３０１ｄを含み、前記偏光ビームスプリッタ３０１ａは互いに接着される第１プリズム３０１１と第２プリズム３０１２を含み、前記第２偏光ビームスプリッタ３０１ｄは互いに接着される第３プリズム３０１３と第４プリズム３０１４を含み、前記第１プリズム３０１１、第２プリズム３０１２及び第４プリズム３０１４の断面はいずれも頂角が４５度の平行四辺形であり、前記第３プリズム３０１３の断面は二等辺三角形であり、前記第１プリズム３０１１の下面は第２プリズム３０１２の上面に接着され、前記第３プリズム３０１３の斜面は第４プリズム３０１４の上面に接着され、前記第１プリズム３０１１と第２プリズム３０１２との接着面及び第３プリズム３０１３と第４プリズム３０１４との接着面にはいずれも誘電体ビーム分割フィルム３０１ｅがコーティングされ、前記第１プリズム３０１１、第２プリズム３０１２及び第４プリズム３０１４の側面は互いに平行であり、且つ第３プリズム３０１３の第１面に平行であり、前記第１プリズム３０１１の上面、第２プリズム３０１２の下面及び第４プリズム３０１４の下面はいずれも反射面であり、前記第１プリズム３０１１の左側面は発光素子１に結合され、前記第２プリズム３０１２の左側面はフィルタ３０２の入力端に結合され、前記第１プリズム３０１１の右側面は順にファラデー回転子３０１ｂと波長板３０１ｃを経由して第３プリズム３０１３の第１面に接続され、前記第２プリズム３０１２の右側面は順にファラデー回転子３０１ｂと波長板３０１ｃを経由して第４プリズム３０１４の左側面に接続され、前記第４プリズム３０１４の右側面はシングルモード光ファイバ４に結合される。
【０００９】
好ましくは、前記ファラデー回転子３０１ｂは４５°ファラデー回転子であり、前記波長板３０１ｃは１／２波長板である。
【００１０】
好ましくは、前記分光フィルタリングユニット３は、インタリーバ３０３、サーキュレータ３０４及びフィルタ３０２を含み、前記発光素子１はインタリーバ３０３の入力端に結合され、前記サーキュレータ３０４の入力端はインタリーバ３０３の出力端に結合され、前記サーキュレータ３０４の双方向ポートはシングルモード光ファイバ４に結合され、前記サーキュレータ３０４の出力ポートは前記フィルタ３０２の入力ポートに結合され、前記受光素子２は前記フィルタ３０２の出力ポートに結合される。
【００１１】
好ましくは、前記インタリーバ３０３はＭＧＴ構造のインタリーバである。
【００１２】
本発明の実質的な効果は、分光フィルタリングユニットを改良することによって、狭いチャネル間隔の単芯双方向伝送を実現することである。
【図面の簡単な説明】
【００１３】
【図１】実施例１の単芯双方向光送受信アセンブリの構造を示す図である。
【００１４】
【図２】実施例１の分光フィルタリングユニットの構造を示す図である。
【００１５】
【図３】実施例１の分岐デバイス構造及び上り光路を示す図である。
【００１６】
【図４】実施例１の分岐デバイス構造及び下り光路を示す図である。
【００１７】
【図５】実施例１の分岐デバイスの３次元構造を示す図である。
【００１８】
【図６】実施例２の単芯双方向光送受信アセンブリの構造を示す図である。
【００１９】
【図７】実施例２のＭＧＴＩインタリーバ構造を示す図である。
【００２０】
【図８】実施例２の光学インタリーバのフィルタ曲線である。
【００２１】
【図９】実施例２の光学インタリーバのフィルタ効果を示す図である。
【００２２】
１  発光素子
２  受光素子
３  分光フィルタリングユニット
４  シングルモード光ファイバ
３０１  分岐デバイス
３０１ａ  偏光ビームスプリッタ
３０１ｂ  ファラデー回転子
３０１ｃ  波長板
３０１ｄ  第２偏光ビームスプリッタ
３０１ｅ  誘電体ビーム分割フィルム
３０１１  第１プリズム
３０１２  第２プリズム
３０１３  第２プリズム
３０１４  第４プリズム
３０２  フィルタ
３０３  インタリーバ
３０４  サーキュレータ
【発明を実施するための形態】
【００２３】
以下に、具体的な実施例により、図面に合わせて本発明の具体的な実施形態についてさらに詳しく説明する。
【００２４】
実施例１
図１に示すように、シングルモード光ファイバ４の双方向通信に適用される単芯双方向光送受信アセンブリであって、本実施例は、発光素子１と、受光素子２と、分光フィルタリングユニット３と、を含み、発光素子１は分光フィルタリングユニット３の光入力ポートａに結合され、受光素子２は分光フィルタリングユニット３の光出力ポートｂに結合され、分光フィルタリングユニット３の双方向ポートｃはシングルモード光ファイバ４に結合され、発光素子１、受光素子２及び分光フィルタリングユニット３の内部光学素子はいずれも空間光学素子である。
【００２５】
図２に示すように、分光フィルタリングユニット３は、それぞれ光入力ポートａ、光出力ポートｄ及び双方向ポートｃを有する３ポートデバイスである分岐デバイス３０１と、フィルタ３０２とを含み、発光素子１は分岐デバイス３０１の光入力ポートａに結合され、分岐デバイス３０１の双方向ポートｃはシングルモード光ファイバ４に結合され、分岐デバイス３０１の光出力ポートｂはフィルタ３０２の入力ポートに結合され、受光素子２はフィルタ３０２の出力ポートに結合され、分岐デバイス３０１及びフィルタ３０２はいずれも空間光学素子であり、両者の間及び両者と発光素子１、受光素子２、シングルモード光ファイバ４との間の光路はいずれも空間光路である。
【００２６】
発光素子１により生成された上り光信号はポートａを経由して分岐デバイス３０１に入り、ポートｃを経由して分岐デバイス３０１から出力され、シングルモード光ファイバ４の伝送リンクに入り、シングルモード光ファイバ４の伝送リンクにおける下り光信号はポートｃを経由して分岐デバイス３０１に入り、ポートｄを経由して分岐デバイス３０１から出力され、フィルタ３０２に入り、フィルタ３０２は下り光信号を透過させると同時に、上り光信号の後方反射光をフィルタリングし、純粋な下り光信号はポートｂを経由してフィルタ３０２から出力され、受光素子２に入る。
【００２７】
図５に示すように、分岐デバイス３０１は偏光ビームスプリッタ３０１ａ、ファラデー回転子３０１ｂ、波長板３０１ｃ、及び第２偏光ビームスプリッタ３０１ｄを含み、偏光ビームスプリッタ３０１ａは互いに接着される第１プリズム３０１１と第２プリズム３０１２とを含み、第２偏光ビームスプリッタ３０１ｄは互いに接着される第３プリズム３０１３と第４プリズム３０１４とを含み、第１プリズム３０１１、第２プリズム３０１２及び第４プリズム３０１４の断面はいずれも頂角が４５度の平行四辺形であり、第３プリズム３０１３の断面は二等辺三角形であり、第１プリズム３０１１の下面は第２プリズム３０１２の上面に接着され、第３プリズム３０１３の斜面は第４プリズム３０１４の上面に接着され、第１プリズム３０１１と第２プリズム３０１２との接着面及び第３プリズム３０１３と第４プリズム３０１４との接着面にはいずれも誘電体ビーム分割フィルム３０１ｅがコーティングされ、第１プリズム３０１１、第２プリズム３０１２及び第４プリズム３０１４の側面は互いに平行であり、且つ第３プリズム３０１３の第１面に平行であり、第１プリズム３０１１の上面、第２プリズム３０１２の下面及び第４プリズム３０１４の下面はいずれも反射面であり、第１プリズム３０１１の左側面は発光素子１に結合され、第２プリズム３０１２の左側面はフィルタ３０２の入力端に結合され、第１プリズム３０１１の右側面は順にファラデー回転子３０１ｂと波長板３０１ｃを経由して第３プリズム３０１３の第１面に接続され、第２プリズム３０１２の右側面は順にファラデー回転子３０１ｂと波長板３０１ｃを経由して第４プリズム３０１４の左側面に接続され、第４プリズム３０１４の右側面はシングルモード光ファイバ４に結合される。ファラデー回転子３０１ｂは４５°ファラデー回転子であり、波長板３０１ｃは１／２波長板である。
【００２８】
図３に示すように、分岐デバイス３０１は偏光ビームスプリッタ３０１ａ、ファラデー回転子３０１ｂ、波長板３０１ｃ、及び第２偏光ビームスプリッタ３０１ｄを含む。ここで、３０１ａ、３０１ｄはいずれも２枚のプリズムが接着されてなる偏光ビームスプリッタであり、２枚のプリズムの間には誘電体ビーム分割フィルム３０１ｅがコーティングされ、入射ビームのｓとｐの２つの偏光成分を分割し、又はそれぞれｓとｐの偏光状態を有する２つのビームを結合するのに用いられる。図３において、偏光ビームスプリッタ３０１ａの側面ａ、ｄはそれぞれ分岐デバイス３０１のポートａ、ポートｄに対応し、偏光ビームスプリッタ３０１ａの上面と下面はいずれも反射面であり、第２偏光ビームスプリッタ３０１ｄの側面ｃは分岐デバイス３０１のポートｃに対応し、第２偏光ビームスプリッタ３０１ｄの下面は反射面である。ファラデー回転子３０１ｂと波長板３０１ｃとの組み合わせは、両者を順に透過するビームの偏光状態を９０°回転させるが、逆伝送されるビームの偏光状態を変更させないことができ、両者は４５°ファラデー回転子と１／２波長板との組み合わせが好ましい。
【００２９】
図３に示される光路は発光素子１がシングルモード光ファイバ４の伝送リンクに出力される上り光路である。発光素子１により出力される上り光信号はポートａを経由して偏光ビームスプリッタ３０１ａに入り、３０１ａの２つのプリズムの境界面で上りビームのｓとｐの２つの偏光成分を分割し、偏光状態が互いに垂直である２つのビームを形成させ、２つのビームはファラデー回転子３０１ｂと波長板３０１ｃとの組み合わせを透過し、それぞれの偏光状態が変化し、偏光状態が変化した後の２つのビームは第２偏光ビームスプリッタ３０１ｄに入り、３０１ｄの２つのプリズムの境界面で結合され、１つのビームを形成し、このビームはポートｃから出力され、シングルモード光ファイバ４の伝送リンクに入る。
【００３０】
図４に示される光路はシングルモード光ファイバ４の伝送リンクが受光素子２に出力される下り光路である。シングルモード光ファイバ４の伝送リンクにより出力される下り光信号はポートｃを経由し第２偏光ビームスプリッタ３０１ｄに入り、第２偏光ビームスプリッタ３０１ｄの２つのプリズムの境界面で下りビームのｓとｐの２つの偏光成分を分割し、偏光状態が互いに垂直である２つのビームを形成させ、２つのビームは波長板３０１ｃとファラデー回転子３０１ｂとの組み合わせを透過し、それぞれの偏光状態が変化せず、２つのビームは偏光ビームスプリッタ３０１ａに入り、３０１ａの２つのプリズムの境界面で結合さ、１つのビームを形成し、このビームはポートｄにより偏光ビームスプリッタ３０１ａから出力され、その後フィルタ３０２に入る。同時に、図３に示される上りビームの後方反射光は図４の光路によってフィルタ３０２に入る。フィルタ３０２は自体の通過帯域によってこの後方反射光をカットし、比較的に純粋な下り光信号を出力する。フィルタ３０２から出力される下り光信号はポートｂを経由して受光素子２に入る。
【００３１】
実施例２
図６に示すように、単芯双方向光送受信アセンブリであって、本実施例は、発光素子１と、受光素子２と、分光フィルタリングユニット３と、を含み、分光フィルタリングユニット３はさらに、フィルタ３０２、インタリーバ３０３、及びサーキュレータ３０４を含む。発光素子１はインタリーバ３０３の入力端に結合され、サーキュレータ３０４の入力端はインタリーバ３０３の出力端に結合され、サーキュレータ３０４の双方向ポートはシングルモード光ファイバ４に結合され、サーキュレータ３０４の出力ポートは前記フィルタ３０２の入力ポートに結合され、受光素子２はフィルタ３０２の出力ポートに結合される。発光素子１により出力される上り光信号は順にインタリーバ３０３とサーキュレータ３０４とを経由してシングルモード光ファイバ４の伝送リンクに入り、シングルモード光ファイバ４の伝送リンクにより入力される下り光信号はサーキュレータ３０４を経由してインタリーバ３０３に入り、インタリーバ３０３により出力された後サーキュレータ３０４に戻り、サーキュレータ３０４によりフィルタ３０２に伝送され、最後に受光素子２に入る。
【００３２】
インタリーバ３０３（ｉｎｔｅｒｌｅａｖｅｒ）は干渉原理に基づき２つ又は複数のビームを利用して干渉することにより奇数、偶数チャネルの出力を生成する光学デバイスであり、一定構造のインタリーバに対し、入射光の周波数が特定の条件を満たした場合にのみ、光信号が奇数チャネル又は偶数チャネルから出力可能である。図７に示すように、本実施例はインタリーバ３０３からの出力波形を方形波に近似するようにするために、例えば、マイケルソン干渉計と標準器ｅｔａｌｏｎによって構成されるＭＧＴＩ型光学インタリーバのようなマルチビーム干渉型のインタリーバが好ましい。ＭＧＴＩ型インタリーバ３０３は光入力ポート、奇数チャネル出力ポートの合計２つの光ポートを有し、その光入力ポートは同時に偶数チャネル出力ポートとして使用される。本実施例はＧ−Ｔｌ、Ｇ−Ｔ２の２つのキャビティの長さ、鏡面反射率などを含むインタリーバ３０３の構造パラメータを合理的に設計し、インタリーバ３０３の奇数チャネルと偶数チャネルのうち１つを上り光路として選択し、残りの１つを下り光路として選択することによって、低周波数間隔の上り光信号と下り光信号の単一光ファイバ伝送を実現することができる。
【００３３】
図８は本実施例におけるインタリーバ３０３のフィルタ曲線である。奇数チャネルと偶数チャネルとの周波数間隔は５０ＧＨｚであり、通過帯域の中心周波数はＩＴＵ−Ｔ推奨中心周波数に対応する。図９に示すように、上り光信号の中心周波数をｆ１に設定し、下り光信号の中心周波数をｆ２に設定し、それぞれインタリーバ３０３のフィルタ曲線における２つの隣接する奇数チャネル、偶数チャネルのフィルタ中心に対応する。発光素子１により出力される上り光信号ｆ１はインタリーバ３０３の光入力ポートに入り、インタリーバ３０３の内部で分光、マルチビーム干渉などの過程を経由して干渉信号を形成し、この干渉信号はインタリーバ３０３の奇数チャネル出力ポートから出力され、その後サーキュレータ３０４を経由してシングルモード光ファイバ４の伝送リンクに入る。シングルモード光ファイバ４の伝送リンク内の下り光信号ｆ２はサーキュレータ３０４を経由してインタリーバ３０３の光入力ポートに入り、インタリーバ３０３の内部で分光、マルチビーム干渉などの過程を経由して干渉信号を形成し、この干渉信号はインタリーバ３０３の偶数チャネル出力ポートから出力され、その後サーキュレータ３０４を経由してフィルタ３０２に入り、フィルタ３０２から出射された後、受光素子２に入る。
【００３４】
上記実施例は本発明の１つの好ましい解決手段に過ぎず、本発明に対する如何なる限定ではなく、特許請求の範囲に記載の技術的解決手段を超えないことを前提として、その他の変形及び改良を行うことが出来る。
【図１】
2022500970.tif 000003
【図２】
2022500970.tif 000004
【図３】
2022500970.tif 000005
【図４】
2022500970.tif 000006
【図５】
2022500970.tif 000007
【図６】
2022500970.tif 000008
【図７】
2022500970.tif 000009
【図８】
2022500970.tif 000010
【図９】
2022500970.tif 000011
【国際調査報告】
2022500970.tif 000012
2022500970.tif 000013
2022500970.tif 000014
2022500970.tif 000015
2022500970.tif 000016